(57)【特許請求の範囲】
【請求項１】
紙カレンダーをカメラで撮影する撮影手段と，
月を意味する文字列を文字認識することで，前記撮影手段で撮影されている前記紙カレンダーの月を認識する月認識部と，予定データを記憶しているデータベースから，前記月認識部が認識した月に対応する前記予定データを取得する予定データ取得部と，ユーザが指定した表示期間に含まれる前記予定データを，ユーザが指定した表示形式に合わせ，前記撮影手段で撮影されている前記紙カレンダーの映像に貼り付けて表示する予定表示部を有するカレンダー手段と，
を備えたことを特徴とするカレンダー装置。
【請求項２】
前記紙カレンダーには，格子状に配置される縦線と横線によって，メモスペースを有する日付枠が形成され，前記撮影手段が撮影している映像を指認識し，指認識で得られた指領域の先端で直線が遮られている前記日付枠と前記指領域の先端で遮られている直線の種類を特定し，該直線の種類からユーザが指定した前記予定データの表示形式を決定し，直線が遮られている前記日付枠からユーザが指定した表示期間を決定する指認識部をカレンダー手段が有していることを特徴とする，請求項１に記載のカレンダー装置。
【請求項３】
前記カレンダー手段の前記予定データ取得部は，ネットワーク上のデータベースから前記予定データを取得することを特徴とする，請求項１又は請求項２に記載のカレンダー装置。
【請求項４】
前記カレンダー手段の前記月認識部は，前記カレンダー装置に内蔵された時計回路から，月を認識する時点の当月，来月及び再来月を候補月とし，文字認識して得られる文字列と前記候補月を意味する文字列の一部又は全てが一致する前記候補月を，前記撮影手段で撮影されている前記紙カレンダーの月として認識すること特徴とする，請求項１から請求項３のいずれか一つに記載のカレンダー装置。
【請求項５】
前記カレンダー手段の前記予定表示部は，前記指領域の先端で直線が遮られている前記日付枠を基準とし，前記指認識部が決定した前記予定データの表示形式に適合するように行又は列方向に前記日付枠の映像を切り出し，前記指認識部が決定した前記予定データの表示期間に対応する前記予定データを，切り出した映像に貼り付けて表示することを特徴とする，請求項２から請求項４のいずれか一つに記載のカレンダー装置。
【請求項６】
前記カレンダー手段の前記指認識部は，前記指領域の先端で遮られている直線の種類が横線の場合，前記予定データの表示形式を週表示に，直線が遮られている前記日付枠から得られる日付が含まれる週を表示期間として決定し，前記予定表示部は，該日付枠を基準として行方向に前記日付枠の映像を切り出すことを特徴とする，請求項５に記載のカレンダー装置。
【請求項７】
前記カレンダー手段の前記指認識部は，前記指領域の先端で遮られている直線の種類が縦線の場合，前記予定データの表示形式を曜日表示に，直線が遮られている前記日付枠から得られる曜日の日付を表示期間として決定し，前記予定表示部は，該日付枠を基準として列方向に日付枠の映像を切り出すことを特徴とする，請求項５又は請求項６に記載のカレンダー装置。
【請求項８】
前記カレンダー手段の前記指認識部は，前記指領域の先端で遮られている直線の種類が縦線・横線の両方の場合，前記予定データの表示形式を日付表示に，直線が遮られている前記日付枠から得られる日付を表示期間として決定し，前記予定表示部は，該日付枠を基準として行方向に前記日付枠の映像を切り出すことを特徴とする，請求項５から請求項７のいずれか一つに記載のカレンダー装置。
【請求項９】
請求項１から請求項８のいずれか一つに記載のカレンダー手段として，コンピュータを機能させるためのコンピュータプログラム。
【発明の詳細な説明】
【技術分野】
【０００１】
本発明は，月毎のイメージに合わせた絵画や写真が添えられ，部屋のインテリアとしても利用される紙媒体のカレンダーのメモスペースを電子的に拡張するための技術に関する。
【背景技術】
【０００２】
月毎のイメージに合わせた絵画や写真が添えられ，月日の確認ばかりではなく，部屋のインテリアとしても利用される紙媒体のカレンダー（紙カレンダー）には，予定や記念日などを書き込むことができるメモスペースが設けられているものがあるが，紙カレンダーのメモスペースを，家族などの複数の人数で利用すると，全員の予定を紙カレンダーのメモスペースに書き込むことができなくなってしまい，紙カレンダーによる予定の共有化を図ることができなかった。
【０００３】
紙カレンダーのメモスペースを拡張する最も一般的な手法は，紙カレンダーではなく，コンピュータ上で動作する電子カレンダーを用いることである。電子カレンダーが動作するコンピュータ機器のメモリ制限はあるものの，電子カレンダーのメモスペースには，紙カレンダーのメモスペースよりも遙かに多くの情報を入力することができる。
【０００４】
しかし，紙カレンダーには，月日の確認用途ばかりではなく，部屋のインテリアとしての用途もあるが，電子カレンダーは，部屋のインテリアとしても利用できないため，従来の紙カレンダーのメモスペースを電子的に拡張できることが望ましい。
【０００５】
紙カレンダーと電子カレンダーを結び付けるための発明として，例えば，特許文献１において，特売日等が印字された紙カレンダー（例えば，宣伝チラシ）の内容を，コンピュータに入力するための発明が開示されている。
【０００６】
しかし，特許文献１で開示されている発明は，紙カレンダーに印字された内容をコンピュータに入力するための発明で，紙カレンダーのメモスペースを電子的に拡張するための発明ではない。
【先行技術文献】
【特許文献】
【０００７】
【特許文献１】特開２００７-１２８１６０号公報
【発明の概要】
【発明が解決しようとする課題】
【０００８】
そこで，本発明は，月毎のイメージに合わせた絵画や写真が添えられ，部屋のインテリアとしても利用される紙媒体のカレンダーのメモスペースを電子的に拡張することのできるカレンダー装置及びコンピュータプログラムを提供することを目的とする。
【課題を解決するための手段】
【０００９】
上述した課題を解決する第１の発明の態様１は，紙カレンダーをカメラで撮影する撮影手段と，前記撮影手段で撮影された紙カレンダーのメモスペースを電子的に拡張する手段として，月を意味する文字列を文字認識することで，前記撮影手段で撮影されている前記紙カレンダーの月を認識する月認識部と，予定データを記憶しているデータベースから，前記月認識部が認識した月に対応する前記予定データを取得する予定データ取得部と，ユーザが指定した表示期間に含まれる前記予定データを，ユーザが指定した表示形式に合わせ，前記撮影手段で撮影されている前記紙カレンダーの映像に貼り付けて表示する予定表示部を有するカレンダー手段を備えたことを特徴とするカレンダー装置である。
【００１０】
更に，第１の発明の態様２は，第１の発明の態様１において，格子状に配置される縦線と横線によって，メモスペースを有する日付枠が前記紙カレンダーに形成され，前記撮影手段が撮影している映像に含まれる指を指認識し，指認識で得られた指領域の先端部で直線が遮られている前記日付枠と前記指領域の先端部で遮られている直線の種類を特定し，該直線の種類からユーザが指定した前記予定データの表示形式を決定し，直線が遮られている前記日付枠からユーザが指定した表示期間を決定する指認識部を前記カレンダー手段が有しているカレンダー装置で，第１の発明の態様２によれば，紙カレンダー上を指で指すことで，前記予定データの表示形式と表示期間を指定できるようになる。
【００１１】
更に，第１の発明の態様３は，第１の発明の態様１又は態様２において，ネットワーク上のデータベースに前記予定データを記憶させ，前記カレンダー手段の前記予定データ取得部は該データベースから前記予定データを取得するカレンダー装置であって，複数のユーザが一つの前記紙カレンダーを共有利用する場合，第１の発明の態様３のようにすることが望ましい。
【００１２】
更に，第１の発明の態様４は，第１の発明の態様１から態様３のいずれか一つにおいて，前記カレンダー手段の前記月認識部を，前記カレンダー装置に内蔵された時計回路から，月を認識する時点の当月，来月及び再来月を候補月とし，文字認識して得られる文字列と前記候補月を意味する文字列の一部又は全てが一致する前記候補月を，前記撮影手段で撮影されている前記紙カレンダーの月として認識する手段とすることカレンダー装置である。
【００１３】
更に，第１の発明の態様５は，第１の発明の態様２から態様４のいずれか一つにおいて，前記カレンダー手段の前記予定表示部は，前記指領域の先端部で直線が遮られている前記日付枠を基準とし，前記指認識部が決定した前記予定データの表示形式に適合するように行又は列方向に前記日付枠の映像を切り出し，前記指認識部が決定した前記予定データの表示期間に対応する前記予定データを，切り出した映像に貼り付けて表示するカレンダー装置であって，第１の発明の態様５によれば，前記予定データの表示期間に対応して前記日付枠の映像を表示できるようになる。
【００１４】
更に，第１の発明の態様６は，第１の発明の態様５において，前記カレンダー手段の前記指認識部は，前記指領域の先端部で遮られている直線の種類が横線の場合，前記予定データの表示形式を週表示に，直線が遮られている前記日付枠から得られる日付が含まれる週を表示期間として決定し，前記予定表示部は，該日付枠を基準として行方向に前記日付枠の映像を切り出すようにするカレンダー装置である。
【００１５】
また，第１の発明の態様７は，第１の発明の態様５又は態様６において，前記カレンダー手段の前記指認識部は，前記指領域の先端部で遮られている直線の種類が縦線の場合，前記予定データの表示形式を曜日表示に，直線が遮られている前記日付枠から得られる曜日の日付を表示期間として決定し，前記予定表示部は，該日付枠を基準として列方向に日付枠の映像を切り出すようにするカレンダー装置である。
【００１６】
また，第１の発明の態様８は，第１の発明の態様５から態様７のいずれか一つにおいて，前記カレンダー手段の前記指認識部は，前記指領域の先端部で遮られている直線の種類が縦線・横線の両方の場合，前記予定データの表示形式を日付表示に，直線が遮られている前記日付枠から得られる日付を表示期間として決定し，前記予定表示部は，該日付枠を基準として行方向に前記日付枠の映像を切り出すようにするカレンダー装置である。
【００１７】
上述した課題を解決する第２の発明は，コンピュータ上で動作するコンピュータプログラムであって，上述したカレンダー手段として，コンピュータを機能させるためのコンピュータプログラムである。
【発明の効果】
【００１８】
このように，上述した本発明によれば，月毎のイメージに合わせた絵画や写真が添えられ，部屋のインテリアとしても利用される紙媒体のカレンダーのメモスペースを電子的に拡張することのできるカレンダー装置及びコンピュータプログラムを提供できる。
【図面の簡単な説明】
【００１９】
【図１】カレンダー装置が配置されたシステムを説明する図。
【図２】カレンダー装置の画面の一例。
【図３】カレンダー装置のブロック図。
【図４】カレンダー装置の機能を説明する図。
【図５】カレンダーアプリケーションの動作を説明するフロー図。
【図６】予定データを表示させる操作を行うときの画面の一例。
【図７】紙カレンダーの月を認識する処理のフロー図。
【図８】予定データの表示形式と表示期間を決定する処理のフロー図。
【図９】予定データの表示形式を決定するルールの一例を説明する図。
【図１０】表示形式が日付形式のときのカレンダー装置の画面の一例。
【図１１】表示形式が週形式のときのカレンダー装置の画面の一例。
【図１２】表示形式が曜日形式のときのカレンダー装置の画面の一例。
【発明を実施するための形態】
【００２０】
ここから，本願発明の実施形態について，本願発明の技術分野に係わる当業者が，本願発明の内容を理解し，本願発明を実施できる程度に説明する。
【００２１】
図１は，本実施形態に係るカレンダー装置１が配置されたシステムを説明する図である。図１で図示したシステムは，メモスペースが設けられた紙媒体のカレンダー３（以下，紙カレンダー３と記す。）と，紙カレンダー３のメモスペースを電子的に拡張するためのアプリケーションであるカレンダーアプリケーション１２が動作するカレンダー装置１と，紙カレンダー３を利用するユーザの予定データが記憶されているデータベースが構築されたカレンダーサーバ２が含まれ，カレンダー装置１はネットワーク４を介してカレンダーサーバ２にアクセスする。
【００２２】
図１で図示した紙カレンダー３は月めくりの紙カレンダー３であり，各月のページには，月を示す文字（ここでは，「Ｏｃｔｏｂｅｒ」）に加え，縦線と横線によって格子状に形成される日付枠３０によって，月の日付と曜日が格子状に印刷され，日付枠３０の余白部が，手書きにて予定や記念日を記入できるメモスペースとして利用することができる。
【００２３】
本実施形態において，図１で図示したカレンダーサーバ２は，紙カレンダー３のメモスペースの補助記憶装置として利用される装置で，カレンダーサーバ２に記憶される予定データは，カレンダー装置１やカレンダー装置１以外の装置を用いてカレンダーサーバ２に入力される。
【００２４】
本実施形態において，紙カレンダー３のメモスペースの補助記憶装置として利用されるカレンダーサーバ２を設けているのは，紙カレンダー３のメモスペースを共有利用するユーザ毎にカレンダー装置１を所持していると想定しているからで，複数のユーザそれぞれが異なるカレンダー装置１を所持していると，予定データを一つのカレンダー装置１に記憶させた場合，複数のユーザが予定データを共有利用できなってしまうため，複数のカレンダー装置１からアクセス可能なカレンダーサーバ２を設け，このカレンダーサーバ２に予定データを記憶させている。
【００２５】
なお，紙カレンダー３のメモスペースを共有利用する複数のユーザで一つのカレンダー装置１を共有利用する場合，又は，紙カレンダー３のメモスペースを利用するユーザが一人の場合は，カレンダー装置１のメモリを紙カレンダー３のメモスペースの補助記憶装置として利用し，該メモリに予定データを記憶させるようにしてもよい。
【００２６】
紙カレンダー３のメモスペースを電子的に拡張するためのアプリケーションであるカレンダーアプリケーション１２は，カレンダー装置１のカメラ１ｆによって撮影されている紙カレンダー３の映像を解析することで，カメラ１ｆで撮影されている紙カレンダー３の月を示す文字から該月を認識し，ユーザが指定した予定データの表示形式及び表示期間に合わせ，認識した月の予定データと紙カレンダー３の映像に含まれる日付枠３０の映像を合成してカレンダー装置１に表示させることで，紙カレンダー３のメモスペースを電子的に拡張する。
【００２７】
図２は，カレンダー装置１の画面の一例である。図２で図示した画面５aは，ユーザの指によって指定された週に係わる予定データを週表示した画面で，画面５ａの上段はユーザの指６によって指定された週に対応する紙カレンダー３の映像で，画面５ａの下段に一日のスケジュール欄が表示され，このスケジュール欄には，画面５ａの上段に表示される日付毎に，該日付の予定データが，開始時刻と終了時刻で定める予定データの予定期間に合わせて表示されている。
【００２８】
このように，現実の紙カレンダー３をカメラ１ｆで撮影し，カメラ１ｆで撮影した紙カレンダー３の映像に，カレンダーサーバ２から得られた予定データをはめ込んで表示することで，カレンダー装置１上に表示される紙カレンダー３のメモスペースには電子的な情報（ここでは，予定データ）が付加されることになり，紙カレンダー３のメモスペースは電子的に拡張されることになる。
【００２９】
ここから，図1で図示したカレンダー装置１及びカレンダー装置１上で動作するカレンダーアプリケーション１２について詳細に説明する。図３は，カレンダー装置１のブロック図である。なお，カレンダー装置１として利用される装置に合わせて，実際のカレンダー装置１には，図３で図示した以外の要素も備えられているが，図３では，本願発明を説明するのに必要な要素のみを図示している。
【００３０】
図３で図示したように，カレンダー装置１は，アプリケーションプロセッサなどのＣＰＵ，ＲＡＭ及びＲＯＭなどが実装されたプロセッサ回路１ａに，カメラ１ｆ，タッチパネル１ｄ，時計回路１ｃ，メモリ１ｅ及び通信回路１ｂなどが接続されたコンピュータ機器で実現される装置で，カレンダー装置１として利用できるコンピュータ機器としては，カメラ付き携帯電話，カメラ付きスマートフォン及びＷｅｂカメラが接続されたノート型のパーソナルコンピュータなどが挙げられる。
【００３１】
図1で図示したカレンダー装置１に実装されたプロセッサ回路１ａには，プロセッサ回路１ａのＣＰＵを動作させるためのオペレーティングシステムが搭載され，カレンダーアプリケーション１２は，このオペレーティングシステム上で動作する一つのアプリケーションになり，カレンダーアプリケーション１２の本体はカレンダー装置１のメモリ１ｅに記憶されている。
【００３２】
図４は，カレンダー装置１の機能を説明する図で，図４に図示したように，カレンダー装置１には，  紙カレンダー３をカメラ１ｆで撮影する撮影手段１０と，月を意味する文字列を文字認識することで，撮影手段１０で撮影されている紙カレンダー３の月を認識する月認識部１１０と，カレンダーサーバ２から，月認識部１１０が認識した月に対応する予定データを取得する予定データ取得部１１１と，撮影手段１０が撮影している映像に含まれる指６を指認識し，指認識で得られた指領域の先端で直線が遮られている日付枠３０と指領域の先端で遮られている直線の種類を特定し，該直線の種類からユーザが指定した予定データの表示形式を決定し，直線が遮られている日付枠３０からユーザが指定した表示期間を決定する指認識１１２部と，ユーザが指定した表示期間に含まれる予定データを，ユーザが指定した表示形式に合わせ，撮影手段１０で撮影されている紙カレンダー３の映像に貼り付けて表示する予定表示部１１３が含まれるカレンダー手段１１が備えられる。
【００３３】
カレンダー装置１の撮影手段１０は，カレンダー装置１に接続されたカメラ１ｆを利用して実現され，カレンダー装置１が本来から有する機能で，カレンダー装置１のカレンダー手段１１は，カレンダー装置１に実装されるカレンダーアプリケーション１２によって，カレンダー装置１として利用されるコンピュータ機器に付加される機能である。
【００３４】
図５は，カレンダーアプリケーション１２の動作を説明するフロー図である。カレンダーアプリケーション１２のアイコンが選択されることで起動し，カレンダーアプリケーション１２は起動すると，撮影手段１０を作動させて映像を撮影開始し，撮影手段１０が撮影している映像をタッチパネル１ｄに表示する処理（Ｓ１）を行う。
【００３５】
撮影手段１０を作動させて映像を撮影開始し，撮影手段１０が撮影している映像をタッチパネル１ｄに表示した後，ユーザが紙カレンダー３の日付枠３０に焦点を合わせ，予定データを表示させる操作を実行すると，カレンダーアプリケーション１２は，月認識部１１０として機能するモジュールを実行し，撮影手段１０で撮影されている紙カレンダー３の映像を解析することで，撮影されている紙カレンダー３の月を認識する処理を実行する（Ｓ２）。
【００３６】
図６は，予定データを表示させる操作を行うときの画面の一例である。図６で図示した画面５ｂには，撮影手段１０で撮影されている映像に加え，予定データを表示させるときにユーザが押すボタン５ｂ１が表示され，ユーザによってこのボタン５ｂ１が押されることで，予定データを表示させる操作が実行される。
【００３７】
図７は，撮影されている紙カレンダー３の月を認識する処理のフロー図で，撮影されている紙カレンダー３の月は，撮影手段１０が撮影している映像に含まれ，月を意味する文字（図６では，「Ｏｃｔｏｂｅｒ」）を文字認識することで認識できる。
【００３８】
本実施形態において，カレンダーアプリケーション１２は，まず，カレンダー装置１の時計回路１ｃからこの時点の年月日を取得し（Ｓ１０），この時点の当月，来月及び再来月の３つを紙カレンダー３の候補月として決定する（Ｓ１１）。例えば，カレンダー装置１の時計回路１ｃから取得した年月日が２０１０年１０月８日であれば，カレンダーアプリケーション１２は，１０月，１１月及び１２月を紙カレンダー３の候補月とし決定する。
【００３９】
カレンダーアプリケーション１２は，紙カレンダー３の候補月を決定すると，撮影手段１０が撮影している映像から，月を意味する単語，数字などの文字列を文字認識し（Ｓ１２），文字認識して得られる文字列と候補月を意味する文字列の一部又は全てが一致する候補月を，撮影されている紙カレンダー３の月として特定する（Ｓ１３）。
【００４０】
なお，撮影手段１０が撮影している映像から，月を意味する単語，数字などの文字列を文字認識するとき，撮影手段１０が撮影した映像の2値化，適切な領域を指定して移動平均フィルタをかけてノイズ除去した後，移動平均フィルタをかけた映像を再度2値化して、文字領域と非文字領域にクラスタリングし，他の文字領域よりサイズの大きい文字領域を対象として，テンプレートなどを用いて文字認識する。
【００４１】
また，文字認識して得られた文字列と紙カレンダー３の候補月を意味する文字列と比較するとき，文字認識して得られた文字が数字であれば，文字認識して得られる上位２文字と紙カレンダー３の候補月の数字と比較し，文字認識して得られた文字が英単語であれば，文字認識して得られる上位３文字と紙カレンダー３の候補月を意味する英語の上位３文字を比較するとよい。
【００４２】
ここから，図５の説明に戻る。撮影されている紙カレンダー３の月を認識すると，カレンダーアプリケーション１２は，予定データ取得部１１１として機能するモジュールを実行させ，認識した月に予定期間が含まれる予定データをカレンダーサーバ２から取得することで，撮影されている紙カレンダー３の月に対応する予定データを取得する（Ｓ３）。
【００４３】
カレンダーアプリケーション１２は，撮影されている紙カレンダー３の月の予定データをカレンダーサーバ２から取得すると，ユーザが指定した予定データの表示形式及び表示期間を決定する（Ｓ４）。
【００４４】
予定データの表示形式をユーザから取得するためのダイヤログなどをカレンダーアプリケーション１２に設けるようにしてもよいが，本実施形態では，撮影手段１０が撮影した映像に含まれるユーザの指がポインタの役割を果し，カレンダーアプリケーション１２は指認識部１１２として機能するモジュールを実行させ，撮影手段１０が撮影している映像に含まれる指を指認識し，指認識で得られた指領域の先端で直線が遮られている日付枠３０と指領域の先端で遮られている直線の種類を特定し，該直線の種類からユーザが指定した予定データの表示形式を決定し，直線が遮られている日付枠３０からユーザが指定した表示期間を決定する。
【００４５】
図８は，予定データの表示形式と表示期間を決定する処理のフロー図である。撮影手段１０で撮影された映像を解析し，ユーザが指定した予定データの表示形式及び表示期間を決定するとき，まず，カレンダーアプリケーション１２は，撮影手段１０が撮影した映像に含まれる直線を抽出する（Ｓ２０）。
【００４６】
撮影手段１０で撮影されている映像から直線を抽出すると，カレンダーアプリケーション１２は，肌色領域を利用して撮影されている映像に含まれる指を指認識し，該映像における指領域を特定する（Ｓ２１）。指認識の手法は様々公開されているが，例えば，撮影手段１０が撮影した映像の肌色領域を2値化し，適切な領域を指定して移動平均フィルタをかけることでノイズ除去し，ノイズ除去した映像を再度2値化した後、肌色領域に該当する黒部を輪郭処理し，指のテンプレートとマッチングすることで指領域を特定する。
【００４７】
カレンダーアプリケーション１２は，指領域を特定すると，抽出した直線の中から，指領域の先端と交わる直線を特定し（Ｓ２２），特定した直線の種類により，予定データの表示形式を決定する（Ｓ２３）。
【００４８】
図９は，予定データの表示形式を決定するルールの一例を説明する図である。図９（ａ）は，指領域の先端部と交わる直線が縦線のケースで，指領域の先端と交わる直線が縦線のとき，カレンダーアプリケーション１２は，予定データの表示形式を週表示に決定する。図９（ｂ）は，指領域の先端と交わる直線が縦線・横線の両方のケースで，指領域の先端と交わる直線が縦線・横線のとき，カレンダーアプリケーション１２は，予定データの表示形式を日付表示に決定する。図９（ｃ）は，指領域の先端と交わる直線が横線のケースで，指領域の先端と交わる直線が横線のとき，カレンダーアプリケーション１２は，予定データの表示形式を曜日表示に決定する。
【００４９】
カレンダーアプリケーション１２は，予定データの表示形式を決定すると，予定データを表示する表示期間を特定する。予定データの表示期間は，指領域の先端で直線が遮られている日付枠３０と表示形式に基づき決定され，指領域の先端で直線が遮られている日付枠３０の日付は，例えば，指領域の先端で直線が遮られている日付枠３０内の文字を文字認識したり，紙カレンダー３内における該日付枠３０の位置を特定することできる。
【００５０】
予定データの表示期間は，予定データの表示形式に依存して特定され，予定データの表示形式が日付形式のときは，指領域の先端で直線が遮られている日付枠３０の日付が予定データの表示期間となる。また，予定データの表示形式が週形式のときは，指領域の先端で直線が遮られている日付枠３０の日付を含む週の日付が予定データの表示期間になり，更に，予定データの表示形式が曜日形式のときは，指領域の先端で直線が遮られている日付枠３０の日付と同じ曜日の日付が予定データの表示期間になる。
【００５１】
カレンダーアプリケーション１２は，予定データの表示形式及び表示期間を決定すると，予定表示として機能するモジュールを実行させ，指領域の先端で直線が遮られている日付枠３０を基準とし，指認識部が決定した予定データの表示形式に適合するように行又は列方向に，撮影手段１０が撮影している映像を切り出し（Ｓ２４），指認識部１１２が決定した予定データの表示期間に対応する予定データを切り出した映像に貼り付けてタッチパネル１ｄに表示し（Ｓ２５），この手順を終了する。
【００５２】
図１０は，表示形式が日付形式のときのカレンダー装置１の画面の一例を説明する図である。図１０の画面５ｃで図示したように，予定データの表示形式が日付形式のとき，指領域の先端で直線が遮られている日付枠３０を基準とし，撮影手段１０が撮影している映像が行方向に切り取られ，予定データを表示する日付を含む週の日付枠３０の映像が切り取られ，予定データの表示期間で特定される日付の位置に対応するように，該日付の予定データを吹き出し形式はめ込んだ映像がカレンダー装置１のタッチパネル１ｄに表示される。
【００５３】
図１１は，表示形式が週形式のときのカレンダー装置１の画面の一例を説明する図である。表示形式が週形式のときのカレンダー装置１の画面は，図２で図示した画面であってもよいが，図１１では，図２とは形態の異なる画面を図示している。
【００５４】
図１１の画面５ｄで図示したように，予定データの表示形式が週形式のとき，指領域の先端で直線が遮られている日付枠３０を基準とし，撮影手段１０が撮影している映像が行方向に切り取られ，予定データを表示する日付を含む週の日付枠３０の映像が切り取られ，撮影手段１０が撮影した映像から切り取られた映像の下側に設けられた欄に，日付枠３０に対応する日付の予定データが予定期間順に表示される。
【００５５】
図１２は，表示形式が曜日形式のときのカレンダー装置１の画面の一例を説明する図である。図１２の画面５ｅで図示したように，予定データの表示形式が曜日形式のとき，指領域の先端部で直線が遮られている日付枠３０を基準とし，撮影手段１０が撮影している映像が列方向に切り取られ，予定データを表示する日付と曜日が同じ日付枠３０の映像が切り取られ，撮影手段１０が撮影した映像から切り取られた映像の右側に，予定データの一覧を表示するスケジュール欄が設けられ，日付枠３０に対応する日付の予定データが予定期間に合わせてこのスケジュール欄内に表示される。
【００５６】
以上、本実施形態のカレンダー装置１は、カメラ１ｆによって撮影されている紙カレンダー３の映像を解析することで，カメラ１ｆで撮影されている紙カレンダー３の月を示す文字から該月を認識し，ユーザが指定した予定データの表示形式及び表示期間に合わせ，認識した月の予定データと紙カレンダー３の映像に含まれる日付枠３０の映像を合成して表示することで，紙カレンダー３のメモスペースを電子的に拡張することができる。
【００５７】
また、カレンダー装置１は、格子状に配置される縦線と横線によって日付枠とメモスペースを有する紙カレンダー３の場合において、撮影手段１０が撮影している映像から指領域を認識し、認識した指領域の先端で直線が遮られている日付枠３０と指領域の先端で遮られている直線の種類からユーザが指定した予定データの表示形式を決定するので、ユーザの紙カレンダー３上における直感的操作によって表示形式を変更して表示することができる。
【符号の説明】
【００５８】
１    カレンダー装置
１０  撮影手段
１１  カレンダー手段
１１０  月認識部
１１１  予定データ取得部
１１２  指認識部
１１３  予定表示部
２    カレンダーサーバ
３    紙カレンダー
３０  日付枠
４    ネットワーク
６    ユーザの指
【図１】
0005499994.tif 000002
【図２】
0005499994.tif 000003
【図３】
0005499994.tif 000004
【図４】
0005499994.tif 000005
【図５】
0005499994.tif 000006
【図６】
0005499994.tif 000007
【図７】
0005499994.tif 000008
【図８】
0005499994.tif 000009
【図９】
0005499994.tif 000010
【図１０】
0005499994.tif 000011
【図１１】
0005499994.tif 000012
【図１２】
0005499994.tif 000013